(57)【要約】【課題】ディスクメディアの挿入／取り出しをするための開口部と高周波ノイズの発生源となる高周波信号発生部を有する箱状の電子機器用金属筐体において、従来の簡単な手法では、高周波信号発生部から放射され開口部を通して電子機器外部に直接輻射される高周波ノイズは勿論のこと、金属筐体の内壁で反射した後に開口部から輻射される高周波ノイズも十分に低減させることが出来ないという課題があった。【解決手段】メディアトレイの挿入／排出動作に連動して開口部の面と平行な面に沿って移動し、メディアトレイの排出時以外は開口部を少なくとも２つ以上の領域に電気的に分割する導電性部材を開口部に設けることにより、開口部が形成するアンテナの放射効率が問題となる高周波ノイズの周波数帯域で低減するようにした。【選択図】図１
2005327412.tif 000002
【特許請求の範囲】
【請求項１】
ディスクメディアの挿入／取り出しをするための開口部と高周波ノイズの発生源となる高周波信号発生部を有する電子機器の導電性金属筐体において、前記ディスクメディアの挿入／取り出しをするために設けられたメディアトレイの挿入／排出動作に連動して移動し、前記メディアトレイの挿入／排出動作時および排出時以外は前記開口部を少なくとも２つの領域に電気的に分割する導電性部材を前記開口部に設けたことを特徴とする電子機器用筐体。
【請求項２】
前記開口部を電気的に分割することにより形成されるそれぞれの開口形状の大きさが、それぞれ互いに異なるように前記導電性部材を設けたことを特徴とする請求項１記載の電子機器用筐体。
【請求項３】
前記導電性部材は、長さが前記開口部の最長辺の長さより短く、最短辺の長さより長く、形状が板状または棒状であって、前記開口部の長手方向を分割するように設けたことを特徴とする請求項１または請求項２のいずれかに記載の電子機器用筐体。
【請求項４】
前記メディアトレイと前記導電性部材とが接触している面と、前記メディアトレイの挿入／排出時の動作面に垂直な面とのなす角度をαとして、前記メディアトレイの排出時に前記メディアトレイと前記導電性部材とが最初に接触する時の角度αの値α0が９０度よりも小さく且つ最初の接触以降の角度αがα0以下であるように、前記メディアトレイの前記開口部より排出される部分の形状を形成したことを特徴とする請求項１ないし請求項３のいずれかに記載の電子機器用筐体。
【請求項５】
前記メディアトレイは、前記開口部より排出される少なくともその先端部分の形状を円弧状もしくは楕円状に形成したことを特徴とする請求項４に記載の電子機器用筐体。
【請求項６】
前記導電性部材は，樹脂成型品の一部または全面に導電性膜をメッキして形成されていることを特徴とする請求項１ないし請求項５のいずれかに記載の電子機器用筐体。
【請求項７】
前記導電性部材は，樹脂成型品の一部または全面に導電性シートを貼付して形成されていることを特徴とする請求項１ないし請求項５のいずれかに記載の電子機器用筐体。
【請求項８】
前記導電性部材は，樹脂成型品の一部または全面に導電性塗料を塗布して形成されていることを特徴とする請求項１ないし請求項５のいずれかに記載の電子機器用筐体。
【請求項９】
請求項１ないし請求項８のいずれかに記載の電子機器用筐体を使用してなる電子機器。
【発明の詳細な説明】
【技術分野】
【０００１】
本発明はＣＤやＤＶＤ等のディスクメディアの挿入／取り出しをするための開口部を備えた箱状の電子機器用金属筐体の低ＥＭＩ構造に関するものである。
【背景技術】
【０００２】
近年の電子機器は小型化、高機能化、デジタル化が進み、これに伴って電子機器から放射され他の電子機器に悪影響を与える不要輻射ノイズも増加してきており、これらの不要輻射ノイズを低減するための対策設計が技術的に年々困難になってきている。
【０００３】
このため、箱状の金属筐体を有する多くの電子機器では、金属筐体の隙間や開口部を無くしたり小さくしたりするなど、いわゆる金属筐体の構造をシールドボックス化することで、電子機器外へ輻射される高周波ノイズを低減する方法が多く用いられている。しかしながら、ＣＤやＤＶＤ等のディスクメディア記録・再生装置を備えた電子機器においては、金属筐体の開口部となるディスクメディアの挿入／取り出し部が不可欠であり、また、この開口部の大きさはディスクメディアのサイズ以下には小さくすることができないため、光ピックアップユニットやデジタル信号処理回路といった高周波ノイズの発生源となる高周波信号発生部において発生した高周波ノイズが、電子機器の開口部から機器外へ輻射され易いという課題があった。
【０００４】
これに対し、光ピックアップユニットや高周波回路の周囲を金属板等で覆い、電子機器の開口部へ到達する高周波ノイズを低減させる方法や、開口部に導電性のシールド材や電磁波吸収材を設けて開口部に至る高周波ノイズを低減する方法が一般的に用いられており、これらの方法が特許文献１や特許文献２などに提示されている。
【特許文献１】特開２００２-１４０８８７号公報
【特許文献２】特開２００１-２８４８７３号公報
【発明の開示】
【発明が解決しようとする課題】
【０００５】
しかしながら、従来の方法では、高周波信号が流れる基板やケーブル全体をシールドすることが難しいため、電子機器からの不要輻射を十分に抑えることが困難であり、また、ディスクメディアやディスクトレイが電子機器の開口部を出入りできるようにするために、開口部を完全なシールド構造にすることができないといった課題があり、実現が容易で電子機器の開口部からの不要輻射低減効果の高い構造が求められていた。
【０００６】
この解決策の一つとして、金属筐体の内壁に凹凸を形成し、この凹凸部の内壁で高周波ノイズを金属筐体内に散乱させることにより開口部に至る高周波ノイズを低減させ、その結果、開口部からの不要輻射を低減させる構造が容易に考えられる。
【０００７】
この容易に考えられる構造について、高周波数で動作する光ピックアップユニットを備えた光ディスクドライブを内蔵する電子機器を例に取り、図５および図６を用いて説明する。
【０００８】
図５は、金属筐体の内壁に凹凸部を持たない場合の高周波ノイズ発生源となる高周波信号発生部から輻射された高周波ノイズが金属筐体の内壁で反射して電子機器の開口部に至る経路を説明した図である。
【０００９】
図５において、１は電子機器の金属筐体、２は金属筐体１に設けられたディスクメディアの挿入／取り出しをするための開口部、３は金属筐体１内に内蔵された光ディスクドライブ、４は光ディスクドライブ３が備えている光ピックアップユニット、５は光ディスクドライブ３のディスクメディアの挿入／取り出しをするためのメディアトレイ、６は光ピックアップユニット４から開口部２へ直接放射される高周波ノイズ、７および８は光ピックアップユニット４から金属筐体１の内壁で反射して開口部２へ放射される高周波ノイズ、１９および２０は金属筐体１の内壁で反射して開口部２へ放射される高周波ノイズ７および８が金属筐体１の内壁でそれぞれ反射する位置を示す。
【００１０】
図５に示す構成において、高周波数で動作する光ピックアップユニット４から放射され開口部２へ至る高周波ノイズは、直接開口部２に至る成分（以下、直接成分と呼ぶ）６と金属筐体１の内壁の位置１９および２０で反射した後に開口部２に至る成分（以下、反射成分と呼ぶ）７および８に分類することができる。直接成分６は、光ピックアップユニット４から放射される高周波ノイズのごく一部であるのに対し、反射成分７および８は、光ピックアップユニット４と開口部２との間に存在する金属筐体１の内壁全面が対象範囲となるため、電子機器の金属筐体１の開口部２から輻射される高周波ノイズは反射成分７および８が大きな割合を占め、特に光ピックアップユニット４と開口部２の間に電磁的な障害物がある場合には反射成分７および８等が支配的となる。
【００１１】
しかしながら、この反射成分は金属面で反射をする毎に金属面の反射係数（約０．７程度）に応じて減衰するため、金属筐体１の内部で反射を繰り返させる（乱反射させる）ことによって反射成分を低減させることができる。そこで、この支配的となる反射成分を低減する一つの方法として、容易に考えられる構造について図６を用いて説明する。
【００１２】
図６は、金属筐体の内壁に例えば単純で一様な凹凸形状の凹凸部を持たせた場合の高周波ノイズ発生源から輻射された高周波ノイズが、金属筐体の内壁で反射して電子機器の開口部に至る経路を説明した図である。
【００１３】
図６において、１は電子機器の金属筐体、２は金属筐体１に設けられたディスクメディアの挿入／取り出しをするための開口部、３は金属筐体１内に内蔵された光ディスクドライブ、４は光ディスクドライブ３が備える光ピックアップユニット、５は光ディスクドライブ３のディスクメディアの挿入／取り出しをするためのメディアトレイ、７ａ、７ｂ、７ｃ、８ａ、８ｂおよび８ｃは光ピックアップユニット４から金属筐体１の内壁で反射して開口部へ放射される高周波ノイズ、９は金属筐体１の内壁に設けられた突起部あるいは凹凸部を示す。なお、図６においては、説明を簡単にするため光ピックアップユニット４から開口部２へ放射される高周波ノイズの直接成分は省略している。
【００１４】
図６に示す構成において、高周波数で動作する光ピックアップユニット４から放射され金属筐体１の内壁で反射して開口部２へ至る高周波ノイズ７ａ、７ｂ、７ｃ、８ａ、８ｂおよび８ｃは、金属筐体１の内壁に設けられた凹凸部９に当たることによって開口部２から遠ざかる方向へ反射する。これにより光ピックアップユニット４から放射され金属筐体１の内壁で反射して開口部２へ至る高周波ノイズ７ａ、７ｂ、７ｃ、８ａ、８ｂおよび８ｃの多くが開口部２と異なる方向へ反射されるため、開口部からの輻射をある程度低減できる構造となっていることが分かる。
【００１５】
しかしながら、この構造においても、高周波ノイズ発生源である光ピックアップユニット４から金属筐体１の内壁で反射して開口部２へ至る高周波ノイズ７ａ、７ｂ、７ｃ、８ａ、８ｂおよび８ｃの内、例えば高周波ノイズ７ｂが開口部２に近付く方向へ反射しているように、開口部２から輻射される高周波ノイズには直接成分は勿論のこと間接成分も少なからず含まれることになり、金属筐体１の内壁に凹凸部９を設ける構造では開口部からの輻射を低減するための十分な効果が得られないという課題があった。
【課題を解決するための手段】
【００１６】
上記課題を解決するために、第１の本発明（請求項１）は、ディスクメディアの挿入／取り出しをするための開口部と高周波ノイズの発生源となる高周波信号発生部を有する電子機器の導電性金属筐体において、前記ディスクメディアの挿入／取り出しをするために設けられたメディアトレイの挿入／排出動作に連動して移動し、前記メディアトレイの挿入／排出動作時および排出時以外は前記開口部を少なくとも２つの領域に電気的に分割する導電性部材を前記開口部に設けたことを特徴とする電子機器用筐体である。
【００１７】
第２の本発明（請求項２）は、前記開口部を電気的に分割することにより形成されるそれぞれの開口形状の大きさが、それぞれ互いに異なるように前記導電性部材を設けたことを特徴とする第１の本発明に記載の電子機器用筐体である。
【００１８】
第３の本発明（請求項３）は、前記導電性部材は、長さが前記開口部の最長辺の長さより短く、最短辺の長さより長く、形状が板状または棒状であって、前記開口部の長手方向を分割するように設けたことを特徴とする第１の本発明または第２の本発明のいずれかに記載の電子機器用筐体である。
【００１９】
第４の本発明（請求項４）は、前記メディアトレイと前記導電性部材とが接触している面と、前記メディアトレイの挿入／排出時の動作面に垂直な面とのなす角度をαとして、
前記メディアトレイの排出時に前記メディアトレイと前記導電性部材とが最初に接触する時の角度αの値α0が９０度よりも小さく且つ最初の接触以降の角度αがα0以下であるように、前記メディアトレイの前記開口部より排出される部分の形状を形成したことを特徴とする第１の本発明ないし第３の本発明のいずれかに記載の電子機器用筐体である。
【００２０】
第５の本発明（請求項５）は、前記メディアトレイは、前記開口部より排出される少なくともその先端部分の形状を円弧状もしくは楕円状に形成したことを特徴とする第４の本発明に記載の電子機器用筐体である。
【００２１】
第６の本発明（請求項６）は、前記導電性部材は，樹脂成型品の一部または全面に導電性膜をメッキして形成されていることを特徴とする第１の本発明ないし第５の本発明のいずれかに記載の電子機器用筐体である。
【００２２】
第７の本発明（請求項７）は、前記導電性部材は，樹脂成型品の一部または全面に導電性シートを貼付して形成されていることを特徴とする第１の本発明ないし第５の本発明のいずれかに記載の電子機器用筐体である。
【００２３】
第８の本発明（請求項８）は、前記導電性部材は，樹脂成型品の一部または全面に導電性塗料を塗布して形成されていることを特徴とする第１の本発明ないし第５の本発明のいずれかに記載の電子機器用筐体である。
【００２４】
第９の本発明（請求項９）は、第１の本発明ないし第８の本発明のいずれかに記載の電子機器用筐体を使用してなる電子機器である。
【発明の効果】
【００２５】
本発明の電子機器用筐体は上記の構成を有し、開口部と電気的に接続された導電性部材で前記開口部を少なくとも２つの領域に分割することにより、高周波ノイズが問題となる周波数帯域において開口部からの輻射効率を下げ、高周波ノイズ発生源から直接および金属筐体の内壁で反射して開口部へ至り、機器外へ輻射される高周波ノイズを大幅に低減することができる。
【発明を実施するための最良の形態】
【００２６】
以下、本発明の実施の形態について図面を参照しながら説明する。
【００２７】
（実施の形態１）
本発明の実施の形態１について、図１、図２、図３および図４を用いて以下に説明する。
【００２８】
図１は高周波数で動作する光ピックアップユニットを搭載した光ディスクドライブを内蔵する電子機器における実施の形態１の電子機器用筐体の一例を示す構造正面図である。図１において、１は電子機器の金属筐体、２は金属筐体１の開口部、３は金属筐体１内に内蔵された光ディスクドライブ、５は光ディスクドライブ３に設けられたメディアトレイ、１０は開口部２を分割するように設けられた第一の導電性部材、１１は第一の導電性部材１０に設けられた丸穴、１２は丸穴１１よりも直径が小さく金属筐体１に形成され金属筐体１と電気的に接続された導電性の丸棒状の突起、１３は第一の導電性部材１０を金属筐体１に取り付けるとともに第一の導電性部材１０を第二の導電性部材１６に押し付ける力を発生するコイルバネ、１４、１５はコイルバネ１３を固定するための金属筐体１に形成された突起部（１）と突起部（２）、１６は金属筐体１と電気的に接続されメディアトレイ５の挿入／排出動作時および排出時以外の時に第一の導電性部材１０の停止位置を固定する第二の導電性部材、１７は第二の導電性部材１６の表面であって第一の導電性部材１０と接触し第一の導電性部材１０と第二の導電性部材１６とを電気的に良好に接続するための導電性の細かい凹凸部、１８はコイルバネ１３を固定するための第一の導電性部材１０に形成された突起部（３）を示す。
【００２９】
以上の様に構成された電子機器用金属筐体１において、第一の導電性部材１０は、丸穴１１を金属筐体１に形成された導電性の丸棒状の突起１２に差し込み、コイルバネ１３を取り付けることによって金属筐体１に取り付けられ、導電性の丸棒状の突起１２を軸に  開口部２の開口面に対して平行な面内で回転が可能な構成となっている。
【００３０】
コイルバネ１３は、固定部材である突起部（１）１４、突起部（２）１５によってその一端を金属筐体１に固定され、かつ他の一端は第一の導電性部材１０に形成された突起部（３）１８に固定されて、第一の導電性部材１０を第二の導電性部材１６に軽く押し付ける役割を果たしている。その結果、メディアトレイが挿入／排出動作時および排出されている時以外は、第一の導電性部材１０は常に開口部２を電気的に分割する状態に保持されている。さらに、第一の導電性部材１０と接触する第二の導電性部材１６の表面には導電性の細かい凹凸部１７が形成されており、第一の導電性部材１０と第二の導電性部材１６との電気的接続が強化されている。
【００３１】
図２は、第一の導電性部材１０によって開口部２を電気的に分割することにより新たに形成された開口部の形状を示した正面図である。図２において、（２−１）は開口部２の正面から見た開口形状を、（２−２）は第一の導電性部材１０によって開口部２を電気的に分割することにより新たに形成された正面から見た二つの開口部（イ）と（ロ）を示し、またＬ1〜Ｌ4はそれぞれの開口部の各辺の長さを表す。ここで、新たに形成された二つの開口部（イ）と（ロ）のそれぞれの各辺の総和、即ち周辺長は、開口部２が２Ｌ1＋２Ｌ2であるのに対し、開口部（イ）は２Ｌ2＋２Ｌ3、開口部（ロ）は２Ｌ2＋２Ｌ4であり、新たに形成された開口部（イ）および（ロ）の周辺長は、元の開口部２の周辺長より明らかに短くなっている。
【００３２】
なお、上記の実施の形態１においては、第一の導電性部材１０と第二の導電性部材１６との一組の組み合わせで開口部２を電気的に二つの開口部（イ）と（ロ）に分割する例を示したが、これらを二つ以上のｎ（ｎは２以上の整数）組の組み合わせで開口部２を電気的に分割する構成を取ることにより、（ｎ＋１）個の開口部が形成されることになり、この場合、言うまでもなく周辺長がさらに短い開口部を形成することができる。
【００３３】
一方、開口部が形成するスロットアンテナの放射効率は、開口部の周辺長が信号の波長の整数倍のときに最大になることは一般に知られている。したがって、上記の開口部２を電気的に分割する構成を取ることにより、個々の開口部の周辺長を高周波ノイズの波長より短くすることによって開口部での放射効率を下げ、開口部から電子機器の外部に輻射される高周波ノイズ、即ち不要輻射を低減することが出来る。
【００３４】
さらに、開口部２を電気的に分割する場合、分割された後の各々の開口部の大きさが互いに異なるように、言い換えると各々の開口部の周辺長が互いに異なるようにすることにより、分割された後の各々の開口部の放射効率が最大となる周波数も互いに異なるようにすることができるので、各々の開口部の放射効率が最大となる周波数が一致して起こる放射ノイズの増加を防ぐことができ、輻射ノイズを低レベルに平準化することができる。
【００３５】
次に、図３を用いて第一の導電性部材１０とメディアトレイ５との連動について説明する。図３は、図１においてメディアトレイが排出された状態におけるＢ−Ｂ´の断面構造
の一例を示す図である。メディアトレイ５は、図３のＣ−Ｃ´断面図にその一例を示すように、金属筐体１から排出される時に第一の導電性部材１０と接触する部分の少なくともその先端部を円弧状に形成し、この円弧に沿って第一の導電性部材１０がメディアトレイ５が排出動作をする面と直交する面で、導電性の丸棒状の突起１２を軸に時計方向あるいは反時計方向に回転するように第一の導電性部材１０に力を及ぼす。その結果、第一の導電性部材１０は第二の導電性部材１６の突起部１７との接触が解かれメディアトレイ５の排出動作に伴って所定の位置まで回転し、開口部２の電気的な分割が開放される。また逆に、メディアトレイ５が排出された状態から金属筐体１に挿入される場合は、第一の導電性部材１０はコイルバネ１３の及ぼす力によりメディアトレイ５の挿入動作に伴ってメディアトレイ５の円弧に沿って第二の導電性部材１６の突起部１７に接触する位置まで戻り、再び開口部２を電気的に分割する。
【００３６】
なお、上記実施の形態では、メディアトレイ５が第一の導電性部材１０と接触する部分のメディアトレイ５の形状を円弧状としたが、図４に示すように、メディアトレイ５と第一の導電性部材１０とが接触している面（ａ）と、メディアトレイ５の挿入／排出時の動作面（ｃ）に垂直な面（ｂ）とのなす角度をαとして、メディアトレイ５の排出時にメディアトレイ５と第一の導電性部材１０とが最初に接触する時の角度αの値α0が９０度よりも小さく且つ最初の接触以降の角度αがα0以下であればメディアトレイ５の排出動作に連動させて第一の導電性部材１０を所定の位置まで回転させ、第一の導電性部材１０による開口部２の電気的な分割を開放する動作を実現することが出来るので、メディアトレイ５の形状は、「α0が９０度よりも小さく、且つ最初の接触以降の角度αがα0以下」を満足する形状であれば、メディアトレイ５の形状は、円弧状に限らず楕円形状であれその他の曲線形状あるいは直線形状であってもかまわない。
【００３７】
また、第一の導電性部材１０を設ける位置は、「α0が９０度よりも小さく、且つ最初の接触以降の角度αがα0以下」を満足することが必要であることから、開口部２の長辺方向の中央部を避けることが望ましい。
【００３８】
また、メディアトレイ５が排出している状態及び挿入／排出動作中においては、第一の導電性部材１０により開口部２を電気的に分割することができないので開口部２から輻射される高周波ノイズが増加するが、この場合、電子機器は物理的に信号の記録あるいは再生ができない状態にあるので、、高周波ノイズの発生源となる高周波信号発生部の電源を遮断するか、高周波信号発生部を不動作状態にすることが可能であり、このような構成を取ることにより開口部２及び金属筐体１のその他の部分から輻射される高周波ノイズを抑圧することができる。
【００３９】
また、導電性部材１０は、その長さが開口部２の最長辺の長さより短く最短辺の長さより長く、形状が板状または棒状であって、開口部２の長辺方向を分割するように設けることが望ましい。
【００４０】
また、導電性部材１０は、樹脂成型品の一部または全面に導電性膜をメッキして形成してもかまわない。
【００４１】
また、導電性部材１０は、樹脂成型品の一部または全面に導電性シートを貼付して形成してもかまわない。
【００４２】
また、導電性部材１０は、樹脂成型品の一部または全面に導電性塗料を塗布して形成してもかまわない。
【００４３】
また、コイルバネ１３の導電性固定部材１４及び１５や第二の導電性固定部材１６は金属筐体１より切り出すことにより形成してもよい。
【産業上の利用可能性】
【００４４】
本発明の電子機器用筐体は、高周波ノイズ発生源のシールドや電子機器の開口部に完全なシールド構造を形成する従来の方法に比べ、容易でかつ低コストで電子機器外部への高周波ノイズ成分の輻射を低減することができ、メディアの挿入／取り出し用などの開口部を備えたＣＤプレーヤ、ＤＶＤレコーダ等の多くの電子機器筐体への応用が可能である。
【図面の簡単な説明】
【００４５】
【図１】実施の形態１の電子機器用筐体の一例を示す構造正面図
【図２】開口部を電気的に分割することにより形成された開口部の形状を示す正面図
【図３】図１においてメディアトレイが排出された状態におけるＢ−Ｂ’断面構造の一例を示す構造断面図
【図４】メディアトレイと第一の導電性部材が接触し連動する状態を示した模式図
【図５】金属筐体の内壁に突起部を有さない場合における、高周波ノイズが開口部に至る経路の一例を示す電子機器用筐体の構造断面図
【図６】金属筐体の内壁に単純な突起部を有する場合における、高周波ノイズが開口部に至る経路の一例を示す電子機器用筐体の構造断面図
【符号の説明】
【００４６】
１  金属筐体
２  開口部
３  光ディスクドライブ
４  光ピックアップユニット
５  メディアトレイ
６  光ピックアップユニットから放射する高周波ノイズの直接成分
７、７ａ、７ｂ、７ｃ  光ピックアップユニットから放射する高周波ノイズの反射成分
８、８ａ、８ｂ、８ｃ  光ピックアップユニットから放射する高周波ノイズの反射成分
９  突起部
１０  第一の導電性部材
１１  丸穴
１２  導電性の丸棒状の突起
１３  コイルバネ
１４  突起部（１）
１５  突起部（２）
１６  第二の導電性部材
１７  導電性凹凸部
１８  突起部（３）
１９、２０  金属筐体の内壁面での反射位置
【図１】
2005327412.tif 000003
【図２】
2005327412.tif 000004
【図３】
2005327412.tif 000005
【図４】
2005327412.tif 000006
【図５】
2005327412.tif 000007
【図６】
2005327412.tif 000008